(57)【要約】      （修正有）【課題】構造が簡便で、プッシュ方式によりメモリカードを直接に挿入することができるメモリカードのコネクタを提供する。【解決手段】メモリカードのコネクタは、メインフレーム１、スライド２、行程位置限定針３、弾力部４、テンションスプリング５および金属カバーを備える。メインフレーム１は、前溝体１１およびＵ字形状で接続されて両側にあるアーム１２を備えている。メインフレーム１の底面には、底支板１３を有し、前溝体１１は各々端子が挿入される複数個の溝口を有している。一方のアーム１２の上面には凹溝１６が設けられ、凹溝１６の後端には凸柱１７が設けられている。凹溝１６の前端には環状位置限定溝１８が設けられ、環状位置限定溝１８の前端および後端には各々カード挿入溝１８１およびカード取出し溝１８２が設けられる。【選択図】図２
0003106106.tif 000002
【実用新案登録請求の範囲】
【請求項１】
メモリカードを挿入して使用するコネクタであって、
前溝体、およびＵ字形状に両側に接続されているアームを有し、底面に位置する底支板を有し、前記前溝体は各々端子が挿入される複数個の溝口を有し、前記両側に接続されているアームのうち一方のアームの上面には凹溝が設けられ、前記凹溝の後端には凸柱が設けられ、前記凹溝の前端には環状位置限定溝が設けられ、前記環状位置限定溝の前端にはカード挿入溝が設けられるとともに、その後端にはカード取出し溝が設けられるメインフレームと、
前記メインフレームの前記凹溝へ設置され、スプリング端柱および枢孔を有する本体を有し、前記本体の内側は弾性フックを有し、前記本体の前端には横向ストッパーが形成されるスライドと、
Ｕ字形状構造で後端ピンおよび前端ピンを有し、前記後端ピンは前記スライドの前記枢孔に枢着される定位端ピンであり、前端ピンは前記メインフレームの前記環状位置限定溝に当たって接触する揺動端ピンである行程位置限定針と、
前記スライドに設けられ、前記行程位置限定針の上面を押さえる弾力部と、
前記メインフレームの前記凸柱および前記スライドの前記スプリング端柱に設けられるテンションスプリングと、
前記メインフレームの上面を覆うとともに、前記メインフレームに掛止される金属カバーと、
を備えることを特徴とするメモリカードのコネクタ。
【請求項２】
前記スライドの前記本体は挿入溝を有し、前記弾力部の一端は前記挿入溝に挿入される挿入固定部を有し、前記弾力部の他端には前記行程位置限定針の上面を押さえる折曲状プッシュ部が形成されることを特徴とする請求項１記載のメモリカードのコネクタ。
【請求項３】
前記環状位置限定溝の側溝道の一つは、前記カード取出し溝から前記カード挿入溝にかけて次第に低くなり、前記環状位置限定溝の他の側溝道は、前記カード挿入溝から前記カードイジェクト層にかけて次第に低くなることを特徴とする請求項１記載のメモリカードのコネクタ。
【請求項４】
前記メインフレームの前記凹溝の内側溝壁の後端部位には、外側に向かって傾斜する斜壁が形成されることを特徴とする請求項１記載のメモリカードのコネクタ。
【請求項５】
前記メインフレームの両側にあるアームの側壁は少なくとも一つの突起を備え、前記金属カバーの両側面は各々側板を備え、それらの側板は前記突起の位置に対応して各々掛孔を有して、それらが互いに掛止されて定位されることを特徴とする請求項１記載のメモリカードのコネクタ。
【請求項６】
前記メインフレームの両側にある前記アームの側壁は少なくとも一つの定位突起部を有し、
前記金属カバーの二つの側板は、前記定位突起部の位置に対応して定位溝を有し、それらが互いに掛止して定位することを特徴とする請求項５記載のメモリカードのコネクタ。
【請求項７】
前記金属カバーは、少なくとも一つのアースピンを有することを特徴とする請求項１記載のメモリカードのコネクタ。
【考案の詳細な説明】
【技術分野】
【０００１】
本考案は、メモリカードのコネクタに関し、特にプッシュ方式によりメモリカードの挿入および取出しを行うコネクタに関する。
【背景技術】
【０００２】
メモリカードのコネクタは装置上に設けられてメモリカードの挿入を提供し、コネクタによりメモリカードは機器と電性接続される。メモリカードは通常コネクタに入れられ、メモリカードとコネクタの結合関係により、メモリカードをコネクタ中に設置および交換することが容易に行うことができる。特にメモリカードをコネクタへ設置するとき、互いの安定した結合関係を保持して、メモリカードを取出すときは、その結合関係を手軽に素早く解除して、メモリカードを取出す際の利便性を高めなければならない。
【０００３】
上述したメモリカードのコネクタには、多くの種類のタイプ及び構造のものが市販され、それらは構造特徴を各々有するため、メモリカードを取出すために他にカードイジェクト構造を設ける必要があったが、その構造は複雑であるため実施が不便であった。
【考案の開示】
【考案が解決しようとする課題】
【０００４】
本考案は従来のメモリカードコネクタの欠点に鑑み、プッシュ（push-push）方式によりメモリカードを直接に挿入することのできる構造が簡便なメモリカードのコネクタを提供することにある。
【課題を解決するための手段】
【０００５】
本考案のメモリカードのコネクタは、前溝体、およびＵ字形状に両側に接続されているアームを有し、底面に位置する底支板を有し、前記前溝体は各々端子が挿入される複数個の溝口を有し、前記両側に接続されているアームのうち一方のアームの上面には凹溝が設けられ、前記凹溝の後端には凸柱が設けられ、前記凹溝の前端には環状位置限定溝が設けられ、前記環状位置限定溝の前端にはカード挿入溝が設けられるとともに、その後端にはカード取出し溝が設けられるメインフレームと、前記メインフレームの前記凹溝へ設置され、スプリング端柱および枢孔を有する本体を有し、前記本体の内側は弾性フックを有し、前記本体の前端には横向ストッパーが形成されるスライドと、Ｕ字形状構造で後端ピンおよび前端ピンを有し、前記後端ピンは前記スライドの前記枢孔に枢着される定位端ピンであり、前端ピンは前記メインフレームの前記環状位置限定溝に当たって接触する揺動端ピンである行程位置限定針と、前記スライドに設けられ、前記行程位置限定針の上面を押さえる弾力部と、前記メインフレームの前記凸柱および前記スライドの前記スプリング端柱に設けられるテンションスプリングと、前記メインフレームの上面を覆うとともに、前記メインフレームに掛止される金属カバーとを備える。
【０００６】
プッシュ方式によりメモリカードをコネクタ中へ挿入すると、スライドが前に動かされるとともにスプリングが引っ張られて、行程位置限定針の揺動端ピンが環状位置限定溝の側溝道に沿って移動して、カード挿入溝に入って定位する。この時、スライドの弾性フックはメモリカードのカード溝に掛着され、メモリカードとコネクタとが安定に結合される。メモリカードを取出すためにメモリカードを再び押すと、行程位置限定針の揺動端ピンを僅かに前へ動かしてカード挿入溝の拘束から外し、テンションスプリングの回復力により、揺動端ピンは環状位置限定溝の他の側溝道に沿って、元のカード取出し溝へ入って定位し、スライドの弾性フックがメモリカードのカード溝から離れる。そのため、メモリカードはスムーズに取出すことができる。
【考案の効果】
【０００７】
プッシュ方式によりメモリカードを直接に挿入することのできる構造が簡便なメモリカードのコネクタを提供することができる。
【考案を実施するための最良の形態】
【０００８】
以下、本考案の実施例を、図面に基づいて構造、特長およびその効能を詳細に説明する。
図１は本考案の一実施例によるメモリカードコネクタの分解斜視図である。図２は、図１のコネクタの主要部分を示す分解斜視図である。図３は、図２のコネクタの一部を示す組合斜視図である。図４は、図１のコネクタの環状位置限定溝を別の角度から見たときの関連構造を示す分解斜視図である。
【０００９】
各図に示すように、本考案の一実施例によるメモリカードのコネクタは、メインフレーム１、スライド２、行程位置限定針３、弾力部４、テンションスプリング５および金属カバー６を備える。
上述したメインフレーム１は、前溝体１１およびＵ字形状で接続された両側面にあるアーム１２を有し、メインフレーム１の底面に位置する底支板１３を備える。前溝体１１は端子１５が各々挿入される複数個の溝口１４を有する。それらの端子の一端は機器の回路板（図示せず）に溶接され、他の一端は次に述べるメモリカードに接触され、データ伝達、電源供給およびアースなどの機能を提供する。
【００１０】
メインフレーム１の両側にあるアーム１２中の一方のアーム１２上面には凹溝１６が設けられ、凹溝１６の内側溝壁の後端部位は外側に傾斜した斜壁１６１が形成される。つまり凹溝１６の後端部位は次第に狭くなる。また、凹溝１６の後端は凸柱１７を備え、その前端は環状位置限定溝１８を備える。環状位置限定溝１８は、前端に各々カード挿入溝１８１を、後端に各々カード取出し溝１８２を備える。環状位置限定溝２８の第１側溝道１８３は、カード取出し溝１８２からカード挿入溝１８１にかけて徐々に低くなる。環状位置限定溝１８の第２側溝道１８４は、カード挿入溝１８１からカード取出し溝１８２にかけて徐々に低くなる。
【００１１】
スライド２はメインフレーム１の凹溝１６に設けられる。スライド２は本体２１を備えている。本体２１の横上面はスプリング端柱２２、挿入溝２３および枢孔２４を備え、本体２１の内側は弾性フック２５を備えている。本体２１の前端にはコネクタ内部に向かって突出した横向ストッパー２６が形成される。
上述した行程位置限定針３は前端ピンおよび後端ピンからなる二つの端ピンを備えたＵ字形状の構造体である。後端ピンはスライド２の枢孔２４へ挿入して枢着する定位端ピン３１である。前端ピンはメインフレーム１の環状位置限定溝１８の上面に当たって接触する揺動端ピン３２である。行程位置限定針３がスライド２に沿って前後に移動すると、行程位置限定針３の揺動端ピン３２はメインフレーム１の環状位置限定溝１８の軌跡に沿って移動する。
【００１２】
弾力部４の一端はスライド２の挿入溝２３に挿入される挿入固定部４１を備えている。弾力部４の他の端部は折曲状プッシュ部４２に形成されて行程位置限定針３の上面を押さえて、行程位置限定針が外れることを防止する。
上述したテンションスプリング５はメインフレーム１の凸柱１７およびスライド２のスプリング端柱２２に設けられている。テンションスプリング５は、カードを取出す操作をすると、スライド２が元の位置に回復する弾力を与える。
【００１３】
金属カバー６はメインフレーム１の上面を覆うとともに、メインフレーム１に掛止されて、電磁妨害を防ぐ機能を備える。その掛止構造は、例えばメインフレーム１の両側にあるアーム１２の側壁が少なくとも一つの突起１９を備えたものであり、金属カバー６の両側面が各々側板６１を有し、それらの側板６１は突起１９の位置に対応して掛孔６２を備えて、互いに掛止する。また、メインフレーム１の両側にあるアーム１２の側壁は少なくとも一つの定位突起部１０を備えており、金属カバー６の二つの側板６１は定位突起部１０の位置に対応して各々定位溝６３を有して互いに掛止されて定位され、その掛止はさらに強固となり互いに向き合う。また、金属カバー６は少なくとも一つのアースピン６４を有し、機器の回路板との溶接に提供され、本実施例のコネクタを強固に結合してアースとして用いる。
【００１４】
図５は、本実施例のメモリカードコネクタにメモリカードを挿入したときの状態を示す平面図である。図６は図５が示すコネクタの側面を示す断面図である。本実施例のコネクタを使用するとき、プッシュ（push）方式によりメモリカード７をコネクタ内部へ挿入し、メモリカード７の前端がスライド２前端の横向ストッパー２６を押さえて、スライド２を一緒に前へ移動させると同時にテンションスプリング５を前へ引っ張り、行程位置限定針３の揺動端ピン３２はメインフレーム１の環状位置限定溝１８の側面で徐々に低くなる側溝道１８３に沿って、前端カード挿入溝１８１へ入って定位する。この際、スライド２の弾性フック２５はメモリカード７のカード溝７１に入り（図５および図６を参照）、メモリカードとコネクタとの結合を安定させるとともに、カードを読取ることができる状況となる。
【００１５】
図７は、本実施例のメモリカードコネクタであり、カードが取出されたときの状態を示す平面図である。図８は、図７が示すコネクタの側面断面図である。メモリカード７を取出すためにメモリカードを再び押す（push）と、その押す動作によりスライド２および行程位置限定針３の揺動端ピン３２は僅かに前に動かされ、揺動端ピン３２がメインフレーム１の環状位置限定溝１８のカード挿入溝１８１の拘束から外れる。これとともに、テンションスプリング５の回復力により、揺動端ピン３２は環状位置限定溝１８の他の側面で徐々に低くなる側溝道１８４に沿って元のカード取出し溝１８２へ入って定位する。そして、スライド２の弾性フック２５は凹溝１６の斜壁１６１により押されて外側へ移動し、メモリカード７のカード溝７１との掛止が外れる（図７および図８を参照）。その結果、スムーズにメモリカードを取出すことができる。これにより、メモリカードの挿入および交換が非常に便利となる。
【００１６】
本考案では好適な実施形態を前述の通り開示したが、これらは決して本考案を限定するものではなく、当該技術を熟知するものなら誰でも、本考案の主旨と領域を脱しない範囲内で各種の変動や潤色を加えることができる。従って本考案の保護の範囲は、実用新案登録請求の範囲で指定した内容を基準とする。
【図面の簡単な説明】
【００１７】
【図１】本考案の一実施例によるメモリカードコネクタを示す分解斜視図である。
【図２】図１のコネクタの主要部分を示す分解斜視図である。
【図３】図２のコネクタの一部を示す組合斜視図である。
【図４】図１のコネクタの環状位置限定溝を別の角度から見たときの関連構造を示す分解斜視図である。
【図５】本考案の一実施例によるコネクタにメモリカードが挿入されたときの状態を示す平面図である。
【図６】図５のコネクタを示す側面断面図である。
【図７】本考案の一実施例によるメモリカードのコネクタが取出されたときの状態を示す平面図である。
【図８】図７のコネクタを示す側面断面図である。
【符号の説明】
【００１８】
１  メインフレーム、１１  前溝体、１２  アーム、１３  底支板、１４  溝口、１５  端子、１６  凹溝、１６１  斜壁、１７  凸柱、１８  環状位置限定溝、１８１  カード挿入溝、１８２  カード取出し溝、１８３  第１側溝道、１８４  第２側溝道、１９  突起、１０  定位突起部、２  スライド、２１  本体、２２  スプリング端柱、２３  挿入溝、２４  枢孔、２５  弾性フック、２６  横向ストッパー、３  行程位置限定針、３１  定位端ピン、３２  揺動端ピン、４  弾力部、４１  挿入固定部、４２  折曲状プッシュ部、５  テンションスプリング、６  金属カバー、６１  側板、６２  掛孔、６３  定位溝、６４  アースピン、７  メモリカード、７１  カード溝
【図１】
0003106106.tif 000003
【図２】
0003106106.tif 000004
【図３】
0003106106.tif 000005
【図４】
0003106106.tif 000006
【図５】
0003106106.tif 000007
【図６】
0003106106.tif 000008
【図７】
0003106106.tif 000009
【図８】
0003106106.tif 000010